(57)【要約】      （修正有）【課題】システムをバージョンアップするために制御機を停止しても、ナースコール子機からの呼び出しをナースステーションにおいて認識可能とする。【解決手段】親機２の代用としてパーソナルコンピュータ１２がＬＡＮ回線Ｌ１に接続される一方、廊下灯４はプレート子機３から受信した呼出信号をＬＡＮ回線Ｌ１上に送出する際に、通常はユニキャストで行っている信号の形態をマルチキャストに変更する信号変更機能を有し、制御機５はシステムをバージョンアップするバージョンアップモードへ移行したら、廊下灯４と親機２の間の通信の制御を停止すると共に、廊下灯４に対して呼出信号をマルチキャストで送出させるマルチキャストモードへ移行させ、マルチキャストによる呼出信号を廊下灯４から受信したパーソナルコンピュータ１２は、呼出信号に含まれる呼出元情報を読み取って自身のディスプレイ１２ａに表示する。【選択図】図１
2019134236.tif 000002
【特許請求の範囲】
【請求項１】
患者が看護師を呼び出すためにベッド毎に設置されたナースコール子機と、看護師が患者と通話するためにナースステーションに設置されたナースコール親機と、ナースコール子機が接続されてナースコール子機操作を受けて呼出信号を生成するプレート子機と、プレート子機が接続されて呼び出しの発生を廊下の看護師に知らせると共に、前記呼出信号を前記ナースコール親機に送信するための廊下灯と、前記廊下灯と前記ナースコール親機の間の通信を制御する制御機とを有し、前記廊下灯及び前記ナースコール親機がＬＡＮ回線により前記制御機に接続されて成るナースコールシステムにおいて、
前記廊下灯は、前記呼出信号の送信形態を、前記制御機に送信するユニキャストから送信先を限定しないマルチキャストに切り替える信号変更機能を有する一方、
前記ＬＡＮ回線には前記ナースコール親機の代用とするパーソナルコンピュータが接続され、
前記制御機は、システムをバージョンアップするバージョンアップモードへ移行したら、前記廊下灯に対してマルチキャスト移行信号を出して前記呼出信号をマルチキャストで送出させ、
マルチキャストによる前記呼出信号を受信した前記パーソナルコンピュータは、前記呼出信号に含まれる呼出元情報を読み取って自身のディスプレイに表示することを特徴とするナースコールシステム。
【請求項２】
前記廊下灯又は前記プレート子機は、前記呼出信号の送出に基づく呼出動作状態を待受状態にリセットする復旧ボタンを有し、
マルチキャストモードで動作中の前記廊下灯は、復旧ボタンが操作されたら復旧信号をマルチキャストで前記ＬＡＮ回線に送出し、
マルチキャストによる前記復旧信号を受信した前記パーソナルコンピュータは、前記呼出元情報の表示を消去することを特徴とする請求項１記載のナースコールシステム。
【請求項３】
マルチキャストモードで動作中の前記廊下灯は、マルチキャストモード動作中であることを表示する表示部を有することを特徴とする請求項１又は２記載のナースコールシステム。
【請求項４】
前記制御機は、バージョンアップが終了すると、バージョンアップモードから前記廊下灯と前記ナースコール親機の間の通信の制御を再開する通常モードに移行すると共に、前記廊下灯に対してマルチキャスト終了信号を出して前記呼出信号をユニキャストで送出させることを特徴とする請求項１乃至３の何れかに記載のナースコールシステム。
【請求項５】
患者が看護師を呼び出すためにベッド毎に設置されたナースコール子機と、看護師が患者と通話するためにナースステーションに設置されたナースコール親機と、ナースコール子機が接続されてナースコール子機操作を受けて呼出信号を生成するプレート子機と、プレート子機が接続されて呼び出しの発生を廊下の看護師に知らせると共に、前記呼出信号を前記ナースコール親機に送信するための廊下灯と、前記廊下灯と前記ナースコール親機の間の通信を制御する制御機とを有し、前記廊下灯及び前記ナースコール親機がＬＡＮ回線により前記制御機に接続されて成るナースコールシステムのバージョンアップ方法であって、
前記廊下灯に、前記呼出信号の送信形態を、前記制御機に送信するユニキャストから送信先を限定しないマルチキャストに切り替える信号変更機能を設けておき、
システムをバージョンアップする際に、前記ナースコール親機の代用としてのパーソナルコンピュータを前記ＬＡＮ回線に接続し、
前記制御機は、システムをバージョンアップするバージョンアップモードに移行したら、前記廊下灯と前記ナースコール親機の間の通信制御を停止すると共に、前記廊下灯にマルチキャスト移行信号を出して呼出信号をマルチキャストで送出させ、
前記ＬＡＮ回線に接続された前記パーソナルコンピュータは、マルチキャストによる前記呼出信号を受信したら、前記呼出信号に含まれる呼出元情報を読み取って自身のディスプレイに表示することを特徴とするナースコールシステムのバージョンアップ方法。
【発明の詳細な説明】
【技術分野】
【０００１】
本発明はナースコールシステムに関し、詳しくはバージョンアップのために制御機の機能が停止しても、ナースコール子機からの呼び出しをナースステーションにおいて把握できるナースコールシステム及びそのバージョンアップ方法に関する。
【背景技術】
【０００２】
ナースコールシステムのバージョンアップ操作は、制御機にバージョンアップソフトをインストールして書き換えモードに移行して行われるため、その間ナースコール子機による呼出機能は停止させなければならなかった。そのため、バージョンアップ操作は夜間等呼び出しの少ない時間に行われるが、それでもバージョンアップ中に患者による看護師の呼び出しは有り、急変した患者が発生した場合は、危険な状態に陥ってしまう可能性すらあるため、看護師にとっては負担の大きい時間となっていた。
このような問題に対して、例えば特許文献１では廊下灯に報音部を設けて、ナースコール親機に呼出信号が送信されない場合は、廊下灯から呼出発生を報音させて看護師に通知することで、看護師の負担の軽減を図った。
【先行技術文献】
【特許文献】
【０００３】
【特許文献１】特開２０１４−１１７４３９号公報
【発明の概要】
【発明が解決しようとする課題】
【０００４】
しかしながら、上記廊下灯を報音動作させる構成は、近くに看護師がいなければ呼び出しの発生を把握するのが難しかったし、呼び出し音を大きくすると周囲の患者にも聞こえてしまう問題があった。
【０００５】
そこで、本発明はこのような問題点に鑑み、システムをバージョンアップするために制御機の機能が停止しても、ナースコール子機からの呼び出しをナースステーションにおいて認識可能とし、呼出機能を維持できるナースコールシステム及びそのバージョンアップ方法を提供することを目的としている。
【課題を解決するための手段】
【０００６】
上記課題を解決する為に、請求項１の発明は、患者が看護師を呼び出すためにベッド毎に設置されたナースコール子機と、看護師が患者と通話するためにナースステーションに設置されたナースコール親機と、ナースコール子機が接続されてナースコール子機操作を受けて呼出信号を生成するプレート子機と、プレート子機が接続されて呼び出しの発生を廊下の看護師に知らせると共に、呼出信号をナースコール親機に送信するための廊下灯と、廊下灯とナースコール親機の間の通信を制御する制御機とを有し、廊下灯及びナースコール親機がＬＡＮ回線により制御機に接続されて成るナースコールシステムにおいて、廊下灯は、呼出信号の送信形態を、制御機に送信するユニキャストから送信先を限定しないマルチキャストに切り替える信号変更機能を有する一方、ＬＡＮ回線にはナースコール親機の代用とするパーソナルコンピュータが接続され、制御機は、システムをバージョンアップするバージョンアップモードへ移行したら、廊下灯に対してマルチキャスト移行信号を出して呼出信号をマルチキャストで送出させ、マルチキャストによる呼出信号を受信したパーソナルコンピュータは、呼出信号に含まれる呼出元情報を読み取って自身のディスプレイに表示することを特徴とする。
この構成によれば、制御機がバージョンアップモードに移行して端末間の通信制御を停止しても、ナースコール子機操作による呼び出しが発生したら、パーソナルコンピュータに呼出元情報が表示される。よって、このパーソナルコンピュータをナースステーションに配置すれば、ナースコール親機が呼出通知を行わなくても、看護師が呼び出しの発生及び呼出元を認識できるため、看護業務が滞るようなことがない。
【０００７】
請求項２の発明は、請求項１に記載の構成において、廊下灯又はプレート子機は、呼出信号の送出に基づく呼出動作状態を待受状態にリセットする復旧ボタンを有し、マルチキャストモードで動作中の廊下灯は、復旧ボタンが操作されたら復旧信号をマルチキャストでＬＡＮ回線に送出し、マルチキャストによる復旧信号を受信したパーソナルコンピュータは、呼出元情報の表示を消去することを特徴とする。
この構成によれば、パーソナルコンピュータに表示された呼出元情報は消去できるため、新たな呼び出しを認識し易い。
【０００８】
請求項３の発明は、請求項１又は２に記載の構成において、マルチキャストモードで動作中の廊下灯は、マルチキャストモード動作中であることを表示する表示部を有することを特徴とする。
この構成によれば、ナースコールシステムがバージョンアップモードに移行して通常の呼出動作をしなくても、廊下灯の表示でその原因を把握でき、看護師は安心できる。
【０００９】
請求項４の発明は、請求項１乃至３の何れかに記載の構成において、制御機は、バージョンアップが終了すると、バージョンアップモードから廊下灯とナースコール親機の間の通信の制御を再開する通常モードに移行すると共に、廊下灯に対してマルチキャスト終了信号を出して呼出信号をユニキャストで送出させることを特徴とする。
この構成によれば、バージョンアップが終了したら制御機は自動で通常モードに復帰し、廊下灯はユニキャスト動作に戻るため、別途復帰操作をする必要がない。
【００１０】
請求項５の発明は、患者が看護師を呼び出すためにベッド毎に設置されたナースコール子機と、看護師が患者と通話するためにナースステーションに設置されたナースコール親機と、ナースコール子機が接続されてナースコール子機操作を受けて呼出信号を生成するプレート子機と、プレート子機が接続されて呼び出しの発生を廊下の看護師に知らせると共に、呼出信号をナースコール親機に送信するための廊下灯と、廊下灯とナースコール親機の間の通信を制御する制御機とを有し、廊下灯及びナースコール親機がＬＡＮ回線により制御機に接続されて成るナースコールシステムのバージョンアップ方法であって、廊下灯に、呼出信号の送信形態を、制御機に送信するユニキャストから送信先を限定しないマルチキャストに切り替える機能を設けておき、システムをバージョンアップする際に、ナースコール親機の代用としてのパーソナルコンピュータをＬＡＮ回線に接続し、制御機は、システムをバージョンアップするバージョンアップモードに移行したら、廊下灯とナースコール親機の間の通信制御を停止すると共に、廊下灯にマルチキャスト移行信号を出して呼出信号をマルチキャストで送出させ、ＬＡＮ回線に接続されたパーソナルコンピュータは、マルチキャストによる呼出信号を受信したら、呼出信号に含まれる呼出元情報を読み取って自身のディスプレイに表示することを特徴とする。
この方法によれば、制御機がバージョンアップモードに移行して端末間の通信制御を停止しても、ナースコール子機操作による呼び出しが発生したら、ナースコール親機の代用として接続されたパーソナルコンピュータに呼出元情報が表示される。よって、このパーソナルコンピュータをナースステーションに配置すれば、ナースコール親機が呼出通知を行わなくても、看護師が呼び出しの発生及び呼出元を認識できるため、看護業務が滞るようなことがない。
【発明の効果】
【００１１】
本発明によれば、制御機がバージョンアップモードに移行して端末間の通信制御を停止しても、ナースコール子機操作による呼び出しが発生したら、接続されたパーソナルコンピュータに呼出元情報が表示される。よって、このパーソナルコンピュータをナースステーションに配置すれば、ナースコール親機が呼出通知を行わなくても、看護師が呼び出しの発生を認識できるため、看護業務が滞るようなことがない。
【図面の簡単な説明】
【００１２】
【図１】本発明に係るナースコールシステムの一例を示す構成図である。
【図２】制御機のブロック図である。
【発明を実施するための形態】
【００１３】
以下、本発明を具体化した実施の形態を、図面を参照して詳細に説明する。図１は本発明に係るナースコールシステムの一例をし、１は患者が看護師を呼び出すためにベッド毎に設置されたナースコール子機（以下、単に「子機」とする。）、２は看護師が患者と通話するためにナースステーションに設置されたナースコール親機（以下、単に「親機」とする。）、３は子機１が接続されるプレート子機、４は病室毎に設置されて呼び出しの発生を廊下おいて報知する廊下灯、５は通信を制御する制御機である。
尚、６は看護師が患者からの呼び出しに応答するために携行する携帯電話、７は携帯電話６と通信する基地局としてのアクセスポイント、８は携帯電話６の通信を管理する交換機（ＰＢＸ）であり、９はＨＵＢである。
【００１４】
親機２、廊下灯４、交換機８等の端末はＬＡＮ回線Ｌ１を介して制御機５に接続され、プレート子機３は伝送線Ｌ２により廊下灯４に接続されている。また、子機１はプレート子機３に接続され、交換機８はＬＡＮ回線Ｌ１により制御機５に接続されている。
【００１５】
プレート子機３は、マイク及びスピーカを備えた通話部３ａを有し、患者と看護師との間で通話を可能としている。また、子機１の呼出操作を受けて呼出信号を生成して廊下灯４へ送信する。
【００１６】
廊下灯４は、病室毎にその入口付近に設置され、病室の患者氏名等の患者情報を表示する液晶画面から成る患者情報表示部４ａ、子機１の操作によりプレート子機３から呼出信号を受けたら、点滅等して報知動作する通知灯４ｂ、報知動作を停止させると共に呼出信号送信先に呼出動作を停止させる（リセットさせる）復旧信号を送信する復旧ボタン（図示せず）を有し、呼出信号を中継してＬＡＮ回線Ｌ１を介して制御機５等へ送信する制御を実施する。
【００１７】
また廊下灯４は、プレート子機３から送信される呼出信号等を中継するが、その際に通常動作ではユニキャストで制御機５に送信するユニキャストモード動作を実施する一方、システムがバージョンアップモードに移行したらマルチキャストでＬＡＮ回線Ｌ１に接続されている全ての端末に送信するマルチキャストモード動作を実施する機能を備えており、制御機５からの切替信号を受けて切替が成され、何れかのモードで信号が送出される。
【００１８】
親機２は、子機１の操作による呼び出しに応答するためのハンドセット２ａ、患者情報の一覧等を表示するディスプレイ２ｂ等を備えている。
【００１９】
図２は制御機５のブロック図を示している。制御機５は図２に示すように、患者と子機１の関係及び患者と看護師（担当看護師等）の関係を記憶する呼出先情報記憶部５１、ソフトウェアの書き換えを管理する書換管理部５２、端末間の通信及び制御機５全体を制御する制御機ＣＰＵ５３、ＬＡＮ回線Ｌ１を介して親機２及び廊下灯４等の各端末と通信する制御機第１通信ＩＦ５４、交換機８と通信する制御機第２通信ＩＦ５５等を備えている。
【００２０】
また図１において、１１はナースコールシステムをバージョンアップする際に、制御機５に接続されたバージョンアップ用のパーソナルコンピュータ（以下、「バージョンアップ用ＰＣ」と称する。）であり、制御機５のファームウェア等のソフトウェアの書き換えを行う際に接続される。
【００２１】
更に、１２はバージョンアップ中に発生した子機１からの呼び出しを看護師に通知するために、ＬＡＮ回線Ｌ１に接続された親機２の代用としてのパーソナルコンピュータ（以下、「ダミーＰＣ」と称する。）であり、このダミーＰＣ１２はナースステーションに設置されている。このダミーＰＣ１２には、廊下灯４から子機１の操作による呼出信号がマルチキャストで送出されると、それを受信して呼出信号に含まれる呼出元情報を読み取ってディスプレイ１２ａに表示させる所定のソフトウェアがインストールされている。
【００２２】
以上の如く構成されたナースコールシステムの動作は以下のようである。但し、通常のナースコールシステムの動作（呼出・通話等）については従来と同様であるため説明を省略し、ここではバージョンアップ時の動作を中心に説明する。
制御機５に接続されたバージョンアップ用ＰＣ１１が操作されてバージョンアップが開始されると、制御機５が通常モードからバージョンアップモードに移行し、制御機ＣＰＵ５３の制御により制御機５から廊下灯４へ、マルチキャスト移行信号が送信される。また、バージョンアップモードに移行した制御機５は呼び出しや通話等の端末間の通信制御を停止する。
【００２３】
マルチキャスト移行信号を受信した廊下灯４は、プレート子機３から受信した呼出信号をマルチキャストで送出するマルチキャストモードに移行する。つまり、ＬＡＮ回線Ｌ１に接続されている全端末に対して呼出信号を送信する。また、マルチキャストモードに移行すると、患者情報表示部４ａの所定の部位にナースコールシステムがバージョンアップ動作中であることを示す例えば「バージョンアップ中」の表示が成される。
尚、通常モード動作時は、プレート子機３から受信した呼出信号は制御機５に対してユニキャストで送信される。
【００２４】
この結果、子機１が操作されて呼び出しが成されると、プレート子機３から廊下灯４へ呼出信号が送信されるが、この呼出信号は廊下灯４から全端末に送出されるため、ダミーＰＣ１２で受信が可能となる。こうして呼出信号を受信したダミーＰＣ１２は、呼出信号に含まれるベッド番号及び部屋番号を含む呼出元情報を読み取り、ダミーＰＣ１２のディスプレイ１２ａに表示する。例えば、呼出元情報として「１０１−３」が表示される。
この表示を確認した看護師は、発生した呼び出しが１０１号室の３番ベッドの患者からの呼び出しであると認識し、病室へかけつけて看護にあたることができる。
【００２５】
尚、マルチキャストで送信されるため、他の端末に対しても呼出信号が送信されるが、他の端末では呼出信号を受信しても破棄する制御が行われる。また、ダミーＰＣ１２は、呼出元情報の表示に合わせて、通知音をダミーＰＣ１２が内蔵しているスピーカから報音させても良い。
【００２６】
その後、呼出元の患者の元へ駆けつけた看護師等により、廊下灯４に設けられている復旧ボタンが操作されると、復旧信号がマルチキャストでＬＡＮ回線上へ送出される。この復旧信号を受信したダミーＰＣ１２は、呼出元表示の表示を消去し、待受状態に戻る。
尚、ダミーＰＣ１２自身を操作して待受状態に戻すことも可能である。また、プレート子機３にも復旧ボタンが設けられている場合は、この復旧ボタンの操作によっても同様の動作が成され、廊下灯４から復旧信号がマルチキャストで送出される。
【００２７】
その後バージョンアップが終了すると、制御機５から廊下灯４へマルチキャスト終了信号が送信され、制御機５は端末間の通信を制御する通常モードに戻る。また、マルチキャスト終了信号を受信した廊下灯４は、プレート子機３から呼出信号を受信すると、制御機５に対してユニキャストで呼出信号を送信する通常の制御動作（ユニキャストモード）に戻る。
こうして、通常モードに復帰したナースコールシステムは、子機１の操作による呼び出しが発生したら、親機２において呼出報知が成されて呼出元情報が表示される通常の動作が再開される。
【００２８】
このように、制御機５がバージョンアップモードに移行して端末間の通信制御を停止しても、子機１の操作による呼び出しが発生したら、接続されたダミーＰＣ１２に呼出元情報が表示される。よって、このダミーＰＣ１２をナースステーションに配置すれば、親機２が呼出通知を行わなくても、看護師が呼び出しの発生及び呼出元を認識できるため、看護業務が滞るようなことがない。
また、復旧ボタンの操作でダミーＰＣ１２に表示された呼出元情報は消去できるため、新たな呼び出しを認識し易い。
更に、ナースコールシステムがバージョンアップモードに移行して通常の呼出動作をしなくても、廊下灯４にそれが表示されるため原因を把握でき、看護師は安心できる。
また、バージョンアップが終了したら制御機５は自動で通常モードに復帰し、廊下灯４はユニキャスト動作に戻るため、別途復帰操作をする必要がない。
【００２９】
尚、上記実施形態のシステムでは、通常使用時よりダミーＰＣ１２をＬＡＮ回線Ｌ１に接続しているが、バージョンアップする時のみＬＡＮ回線１２に接続すれば良い。また、ダミーＰＣ１２を親機２の代用としているが、ダミーＰＣはタブレット端末等の小型ＰＣも含むものである。
更に、バージョンアップモード移行中であることの表示が廊下灯４の患者情報表示部４ａに成されるが、ＬＥＤ等の発光手段を設けて発光／点滅により通知しても良い。
【符号の説明】
【００３０】
１・・ナースコール子機、２・・ナースコール親機、３・・プレート子機、４・・廊下灯、４ａ・・患者情報表示部（表示部）、５・・制御機、１２・・パーソナルコンピュータ、１２ａ・・ディスプレイ、Ｌ１・・ＬＡＮ回線。
【図１】
2019134236.tif 000003
【図２】
2019134236.tif 000004